(57)【要約】【課題】既存の広告領域を用いて、自殺抑止などのための所定のＳＮＳサイトへのリンク情報をクライアント端末において表示することができるＳＮＳサイト紹介サーバ、ＳＮＳサイト紹介方法を提供すること。【解決手段】閲覧要求を受けたＷｅｂページの内容を解析するページ内容解析ステップと、解析した解析内容に関連する広告を広告領域に合成するページ合成ステップと、解析した内容が所定の広告キーワードを含まない場合でかつ所定のキーワードを含む場合に、ＳＮＳリンク情報の配信に切り替える判定を行うＳＮＳリンク配信切替判定ステップと、ＳＮＳリンク情報の配信に切り替えたことに応じ、ＳＮＳリンク情報をマッチングするＳＮＳリンク情報マッチングステップと、を備え、ＳＮＳリンク情報マッチングステップがマッチングしたＳＮＳリンク情報を広告に代えて広告領域に合成する。【選択図】図１
2011028599.tif 000002
【特許請求の範囲】
【請求項１】
クライアント端末から閲覧要求を受けたＷｅｂページの内容を解析するページ内容解析手段と、
前記ページ内容解析手段が解析した解析内容に関連する広告をマッチングする広告マッチング手段と、
前記広告マッチング手段がマッチングした広告を前記Ｗｅｂページの所定の広告領域に合成するページ合成手段と、
前記ページ内容解析手段が解析した内容が所定の広告キーワードを含まない場合でかつ所定のキーワードを含む場合に、所定のＳＮＳリンク情報の配信に切り替える判定を行うＳＮＳリンク配信切替判定手段と、
前記ＳＮＳリンク情報の配信に切り替えたことに応じて、前記広告マッチング手段の処理を停止して所定のＳＮＳリンク情報をマッチングするＳＮＳリンク情報マッチング手段と、を備え、
更に、前記ページ合成手段は、前記ＳＮＳリンク情報マッチング手段がマッチングしたＳＮＳリンク情報を前記広告に代えて前記所定の広告領域に合成することを特徴とするＳＮＳサイト紹介サーバ。
【請求項２】
前記ＳＮＳリンク配信切替判定手段は、前記ページ内容解析手段が解析した内容が前記所定のキーワードを所定のルールに合致した状態で含む場合に前記所定のＳＮＳリンク情報の配信に切り替える判定を行うことを特徴とする請求項１に記載のＳＮＳサイト紹介サーバ。
【請求項３】
クライアント端末から閲覧要求を受けたＷｅｂページの内容を解析するページ内容解析ステップと、
前記ページ内容解析ステップが解析した解析内容に関連する広告をマッチングする広告マッチングステップと、
前記広告マッチングステップがマッチングした広告を前記Ｗｅｂページの所定の広告領域に合成するページ合成ステップと、
前記ページ内容解析ステップが解析した内容が所定の広告キーワードを含まない場合でかつ所定のキーワードを含む場合に、所定のＳＮＳリンク情報の配信に切り替える判定を行うＳＮＳリンク配信切替判定ステップと、
前記ＳＮＳリンク情報の配信に切り替えたことに応じて、前記広告マッチングステップの処理を停止して所定のＳＮＳリンク情報をマッチングするＳＮＳリンク情報マッチングステップと、を備え、
更に、前記ページ合成ステップは、前記ＳＮＳリンク情報マッチングステップがマッチングしたＳＮＳリンク情報を前記広告に代えて前記所定の広告領域に合成することを特徴とするＳＮＳサイト紹介方法。
【発明の詳細な説明】
【技術分野】
【０００１】
本発明は、クライアント端末からの閲覧要求に応じて、Ｗｅｂページの広告領域に広告その他のＷｅｂコンテンツを配信する広告配信サーバと併存するＳＮＳサイト紹介サーバ及びＳＮＳサイト紹介方法に関する。
【背景技術】
【０００２】
昨今、個人の心情を語った日記などが公開されているブログやホームページに悩みを打ち明けているのに、誰にも相談できず、悩んだ末に自殺してしまう自殺志願者や、犯罪に手を染めてしまう犯罪者予備軍が多数存在する。
【０００３】
このような状況において、悩んだ末に自殺や犯罪を犯してしまう彼ら自殺志願者などを自殺や犯罪から未然に救うために、心のケアを促すＳＮＳ（Ｓｏｃｉａｌ  Ｎｅｔｗｏｒｋｉｎｇ  Ｓｅｒｖｉｃｅ）などの相談サイトが存在する。このようなサイトでは、自殺志願者や犯罪者予備軍に対しカウンセラーや精神科医とのコミュニケーションを促し、自殺や犯罪を未然に防ぐことができる。
【０００４】
一方でＷｅｂページの閲覧者が所望のページの閲覧を要求した場合に、当該ページの内容に関連する広告をコンテンツに付加して広告付きのコンテンツをＷｅｂページ閲覧者に提供するコンテンツマッチ型広告配信システムが開示されている（例えば、特許文献１参照）。
【先行技術文献】
【特許文献】
【０００５】
【特許文献１】特開２００７−２８６８３３号公報
【発明の概要】
【発明が解決しようとする課題】
【０００６】
しかし、自殺志願者や、犯罪者予備軍は、このような自殺防止や犯罪防止のためのＳＮＳなどの相談サイトを自力で探し出すことはなかなか難しい。更に、そもそもこのような自殺志願者などは、自殺防止サイトなどを検索するのではなく、むしろそれを助長するようなＷｅｂコンテンツを閲覧したり、検索したりするのであり、まさにそのようなタイミングで自殺防止のためのＳＮＳサイトを案内することが望ましい。このように、せっかく自殺や犯罪を未然に防止することを目的とするＳＮＳサイトが存在するにもかかわらず、その機能が十分には生かされていない可能性がある。
【０００７】
また、特許文献１に開示されているような、コンテンツマッチ型広告配信システムは、コンテンツの広告領域に単に対象となる広告を付加してコンテンツを配信しているものである。したがって、自殺防止などのサイトの紹介のためには全く活用されていなかった。
【０００８】
本発明はこのような従来の問題点に鑑みて提案されたものであり、その目的は、既存の広告領域を用いて、自殺抑止などのための所定のＳＮＳサイトへのリンク情報をクライアント端末において表示することができるＳＮＳサイト紹介サーバ、ＳＮＳサイト紹介方法を提供することを目的とする。
【課題を解決するための手段】
【０００９】
（１）  クライアント端末から閲覧要求を受けたＷｅｂページの内容を解析するページ内容解析手段と、前記ページ内容解析手段が解析した解析内容に関連する広告をマッチングする広告マッチング手段と、前記広告マッチング手段がマッチングした広告を前記Ｗｅｂページの所定の広告領域に合成するページ合成手段と、前記ページ内容解析手段が解析した内容が所定の広告キーワードを含まない場合でかつ所定のキーワードを含む場合に、所定のＳＮＳリンク情報の配信に切り替える判定を行うＳＮＳリンク配信切替判定手段と、前記ＳＮＳリンク情報の配信に切り替えたことに応じて、前記広告マッチング手段の処理を停止して所定のＳＮＳリンク情報をマッチングするＳＮＳリンク情報マッチング手段と、を備え、更に、前記ページ合成手段は、前記ＳＮＳリンク情報マッチング手段がマッチングしたＳＮＳリンク情報を前記広告に代えて前記所定の広告領域に合成することを特徴とするＳＮＳサイト紹介サーバ。
【００１０】
（１）に記載のＳＮＳサイト紹介サーバによれば、クライアント端末から閲覧要求を受けたＷｅｂページに所定の広告キーワードが含まれておらず、かつ、所定のキーワードが含まれると判定された場合には、所定のＳＮＳリンク情報の配信に切り替える。そして、この切り替えに応じて、広告マッチング手段の処理を停止して、代わりに、ＳＮＳリンク情報のマッチングが行われる。更に、このマッチングされたＳＮＳリンク情報が、広告に代えて所定の広告領域に合成される。そして、このＳＮＳリンク情報がマッチングされたＷｅｂページがクライアント端末に配信される。したがって、閲覧要求されたＷｅｂページにおいて所定の広告キーワードが含まれるか又は所定のキーワードが含まれていない通常時には広告が付されているだけの所定の広告領域に、所定の広告キーワードが含まれておらず、かつ、所定のキーワードが含まれると判定されることにより、所定のＳＮＳに関連するＳＮＳリンク情報がクライアント端末において表示されるため、閲覧者を自殺防止や犯罪防止のためのＳＮＳなどの相談サイトに誘導することができる。また、通常時には単に広告領域に広告を合成するという既存の広告配信サーバと併存するＳＮＳサイト紹介サーバを用いて、自殺抑止などのための所定のＳＮＳサイトへのリンク情報を表示することができる。したがって、所定のＳＮＳ情報を表示するために新たにＷｅｂサーバシステムなどを構築する必要がなく、コストを抑制することができる。
【００１１】
（２）  前記ＳＮＳリンク配信切替判定手段は、前記ページ内容解析手段が解析した内容が前記所定のキーワードを所定のルールに合致した状態で含む場合に前記所定のＳＮＳリンク情報の配信に切り替える判定を行うことを特徴とする（１）に記載のＳＮＳサイト紹介サーバ。
【００１２】
（２）に記載のＳＮＳサイト紹介サーバによれば、ページ内容解析手段により解析された内容が所定のキーワードを所定のルールに合致した状態で含む場合には、ＳＮＳリンク情報の配信に切り替えられる。したがって、例えば、所定のルールが、複数のキーワードと共起の関係にある組合せ、又は、複数のキーワードと連接の関係にある組合せなどである場合、このルールに合致した場合には、広告領域には通常の広告に代えて、ＳＮＳリンク情報がマッチングされる。したがって、自殺志願者や犯罪者予備軍が閲覧する確率が高いブログや自殺志願サイト又は殺人マニュアルが記載されたＷｅｂページでよく用いられる所定のキーワードの組合せ方法などを所定のルールとして予め規定しておく。そして、閲覧者がクライアント端末を介して当該キーワードの組合せが用いられているルールに合致するＷｅｂページを閲覧要求してきた場合には、Ｗｅｂページの広告領域に当該ＳＮＳサイトへのリンク情報がマッチングされて、クライアント端末に配信される。したがって、自殺防止サイトなどに関連するＳＮＳリンク情報がクライアント端末において表示されるため、閲覧者を自殺防止や犯罪防止のためのＳＮＳなどの相談サイトに誘導することができる。
【００１３】
（３）  クライアント端末から閲覧要求を受けたＷｅｂページの内容を解析するページ内容解析ステップと、前記ページ内容解析ステップが解析した解析内容に関連する広告をマッチングする広告マッチングステップと、前記広告マッチングステップがマッチングした広告を前記Ｗｅｂページの所定の広告領域に合成するページ合成ステップと、前記ページ内容解析ステップが解析した内容が所定の広告キーワードを含まない場合でかつ所定のキーワードを含む場合に、所定のＳＮＳリンク情報の配信に切り替える判定を行うＳＮＳリンク配信切替判定ステップと、前記ＳＮＳリンク情報の配信に切り替えたことに応じて、前記広告マッチングステップの処理を停止して所定のＳＮＳリンク情報をマッチングするＳＮＳリンク情報マッチングステップと、を備え、更に、前記ページ合成ステップは、前記ＳＮＳリンク情報マッチングステップがマッチングしたＳＮＳリンク情報を前記広告に代えて前記所定の広告領域に合成することを特徴とするＳＮＳサイト紹介方法。
【００１４】
（３）に記載のＳＮＳサイト紹介方法によれば、クライアント端末から閲覧要求を受けたＷｅｂページに所定の広告キーワードが含まれておらず、かつ、所定のキーワードが含まれると判定された場合には、所定のＳＮＳリンク情報の配信に切り替える。そして、この切り替えに応じて、広告マッチング手段の処理を停止して、代わりに、ＳＮＳリンク情報のマッチングが行われる。更に、このマッチングされたＳＮＳリンク情報が、広告に代えて所定の広告領域に合成される。そして、このＳＮＳリンク情報がマッチングされたＷｅｂページがクライアント端末に配信される。したがって、閲覧要求されたＷｅｂページにおいて所定の広告キーワードが含まれるか又は所定のキーワードが含まれていない通常時には広告が付されているだけの所定の広告領域に、所定の広告キーワードが含まれておらず、かつ、所定のキーワードが含まれると判定されることにより、所定のＳＮＳに関連するＳＮＳリンク情報がクライアント端末において表示されるため、閲覧者を自殺防止や犯罪防止のためのＳＮＳなどの相談サイトに誘導することができる。また、通常時には単に広告領域に広告を合成するという既存の広告配信サーバと併存するＳＮＳサイト紹介サーバを用いて、自殺抑止などのための所定のＳＮＳサイトへのリンク情報を表示することができる。したがって、所定のＳＮＳ情報を表示するために新たにＷｅｂサーバシステムなどを構築する必要がなく、コストを抑制することができる。
【発明の効果】
【００１５】
本発明によれば、既存の広告領域を用いて、自殺抑止などのための所定のＳＮＳサイトへのリンク情報をクライアント端末において表示することができる。
【図面の簡単な説明】
【００１６】
【図１】本実施形態の配信方法を実現するためのＳＮＳサイト紹介サーバの構成例を示す図である。
【図２】上記実施形態の切替判定キーワード・ルールＤＢを示す図である。
【図３】上記実施形態の広告ＤＢを示す図である。
【図４】上記実施形態のＳＮＳリンク情報ＤＢを示す図である。
【図５】上記実施形態のＳＮＳサイト紹介サーバ及びクライアント端末の処理フローを示す図である。
【図６】上記実施形態におけるクライアント端末における表示例を示す図である。
【発明を実施するための形態】
【００１７】
本発明のＳＮＳサイト紹介方法は、クライアント端末から閲覧要求を受けたＷｅｂページを解析した内容が所定の広告キーワードを含まない場合でかつ所定のキーワードを含む場合に、所定のＳＮＳリンク情報の配信に切り替えることで、通常は広告を合成している所定の広告領域に、所定のＳＮＳリンク情報を広告に代えて合成することで、ＳＮＳサイトへのリンク情報をクライアント端末において表示することができるものであるところ、以下では、本発明のＳＮＳサイト紹介方法を実現するために好適な広告配信サーバと併存するＳＮＳサイト紹介サーバ１０について図１〜図６を参照しながら説明する。
【００１８】
［ＳＮＳサイト紹介サーバ１０の説明］
ＳＮＳサイト紹介サーバ１０は、既存の広告配信サーバと併存して設けられ、ページ要求受付手段１１、ページ内容解析手段１２、ＳＮＳリンク配信切替判定手段１３、広告マッチング手段１４、ＳＮＳリンク情報マッチング手段１５、ページ合成手段１６、ページ配信手段１７、切替判定キーワード・ルールデータベース（ＤＢ）２１、広告データベース（ＤＢ）２２、ＳＮＳリンク情報データベース（ＤＢ）２３により構成される。
【００１９】
ページ要求受付手段１１は、クライアント端末からＷｅｂページの閲覧要求を受け付ける。ページ内容解析手段１２は、ページ要求受付手段１１により受け付けたＷｅｂページの内容を解析する。具体的には、ページ要求受付手段１１により受付したＷｅｂページ内のテキストを形態素解析し、品詞に分類する。
【００２０】
切替判定キーワード・ルールＤＢ２１は、複数の所定のＳＮＳサイトに関し、それぞれの所定のＳＮＳサイトに関連する所定のキーワード、及び所定キーワードに対する所定のルールに関する判定ルール・キーワードを記憶する。詳細については、図２を参照して説明する。広告ＤＢ２２は、所定の広告サイトへのリンクを含むリンク情報、各広告サイトに関連する広告キーワード、及び該広告サイトに対応する広告バナーを記憶する。ＳＮＳリンク情報ＤＢ２３は、所定のＳＮＳサイトへのリンクを含むリンク情報、及び該ＳＮＳサイトに対応するＳＮＳバナーを記憶する。広告ＤＢ２２、及びＳＮＳリンク情報ＤＢ２３に記憶されているリンク情報として、各広告サイト、又は各ＳＮＳサイト毎にＵＲＬ（Ｕｎｉｆｏｒｍ  Ｒｅｓｏｕｒｃｅ  Ｌｏｃａｔｏｒ）の情報が記憶されている。
【００２１】
ＳＮＳリンク配信切替判定手段１３は、ページ内容解析手段１２が解析した解析内容が、広告ＤＢ２２に記憶されている所定の広告キーワードを含まない場合でかつ切替判定キーワード・ルールＤＢ２１に記憶されている所定のキーワードに対する所定のルールに合致した状態で含まれる場合に、所定のＳＮＳリンク情報の配信に切り替えるか否かを判定する。具体的には、所定の広告キーワードを含まない場合に、所定のルールが、複数のキーワードと共起の関係にある組合せ、又は、複数のキーワードと連接の関係にある組合せなどである場合、解析したキーワードがこのルールに合致するか否かを判定する。所定のキーワードに対する所定のルールに合致した状態で含まれる場合には、広告サイトへのリンク情報がマッチングされたＷｅｂページの配信に代えて、ＳＮＳリンク情報がマッチングされたＷｅｂページの配信に切り替える。
【００２２】
広告マッチング手段１４は、ＳＮＳリンク配信切替判定手段１３により、切替判定キーワード・ルールＤＢ２１に記憶されている所定のキーワードに対する所定のルールに合致した状態で含まれておらず、所定のＳＮＳリンク情報の配信に切り替えると判定されなかった場合に、広告ＤＢ２２に記憶されている広告キーワードを参照して、所定の広告キーワードに合致すると判定されたリンク情報と、クライアント端末から閲覧要求を受けたＷｅｂページの広告領域とをマッチングする。
【００２３】
ＳＮＳリンク情報マッチング手段１５は、ＳＮＳリンク配信切替判定手段１３によりページ内容解析手段１２が解析した解析内容が、切替判定キーワード・ルールＤＢ２１に記憶されている所定のキーワードに対する所定のルールに合致した状態で含まれており、所定のＳＮＳリンク情報の配信に切り替えると判定された場合に、広告マッチング手段１４の処理を停止して、ＳＮＳリンク情報ＤＢ２３に記憶されているリンク情報を参照して、ＳＮＳリンク配信切替判定手段１３により、所定のキーワードに対する所定のルールに合致したＳＮＳサイトへのリンク情報と、クライアント端末から閲覧要求を受けたＷｅｂページの広告領域とをマッチングする。
【００２４】
ページ合成手段１６は、広告マッチング手段１４によりマッチングしたＷｅｂページ、又は、ＳＮＳリンク情報マッチング手段１５によりマッチングしたＷｅｂページの広告領域にマッチしたリンク情報を合成する。ページ配信手段１７は、ページ合成手段１６により合成したＷｅｂページをクライアント端末に配信する。
【００２５】
［切替判定キーワード・ルールＤＢ２１］
図２を参照して、切替判定キーワード・ルールＤＢ２１について説明する。切替判定キーワード・ルールＤＢ２１は、ＫｅｙＩＤ毎に、所定のキーワードに対する所定のルールとして複数の判定キーワード・ルールが記憶される。ＫｅｙＩＤは、所定のキーワードに対する所定のルールを一意に識別するために用いられる。判定キーワード・ルールとして、複数のキーワードと共起の関係にある組合せ、又は、複数のキーワードと連接の関係にある組合せが記憶されている。キーワードは、主に文中で主語や目的語などとして働くモノを表す名詞により構成される単語である。
【００２６】
複数のキーワードと共起の関係にある組合せとは、例えば、切替判定キーワード・ルールＤＢ２１のＫｅｙＩＤ「ａｂｃ」の判定キーワード・ルールを参照すると、ページ内容解析手段１２により形態素解析され分類された品詞に基づき、クライアント端末から閲覧要求を受けたＷｅｂページにおいて、「自殺」と「硫化水素」のキーワードが、同時に用いられている組合せをいう。また、複数のキーワードと連接の関係にある組合せとは、例えば、切替判定キーワード・ルールＤＢ２１のＫｅｙＩＤ「ｘｙｚ」の判定キーワード・ルールを参照すると、ページ内容解析手段１２により形態素解析され分類された品詞に基づき、クライアント端末から閲覧要求を受けたＷｅｂページにおいて、「出会い」と「サイト」のキーワードが、つながり続いている組合せをいう。
【００２７】
また、所定のキーワードに対する所定のルールは、各ＳＮＳサイトに関連するキーワード及び、そのキーワードに対するルールが規定されている。例えば、切替判定キーワード・ルールＤＢ２１のＫｅｙＩＤ「ａｂｃ」の判定キーワード・ルールは、自殺防止サイトに関する判定キーワード・ルールである。すなわち、自殺志願者などは、自殺を助長するようなＷｅｂコンテンツを閲覧したり、検索したりする際に、ＫｅｙＩＤ「ａｂｃ」の判定キーワード・ルールに合致するＷｅｂページを閲覧する可能性が高いと考えられる。したがって、自殺志願者などがそのようなＷｅｂページを閲覧しようとする、まさにそのようなタイミングで、通常は広告が表示されている広告領域に、自殺防止を促す自殺防止ＳＮＳサイトなどに誘導するＳＮＳリンクを表示するＳＮＳリンク情報の配信状態に切り替える判定を行う。
【００２８】
［広告ＤＢ２２］
図３を参照して、広告ＤＢ２２について説明する。広告ＤＢ２２は、広告ＩＤ毎に、広告サイトのリンク情報としての広告ＵＲＬと、広告サイトのマッチング情報としての複数の広告キーワードと、その広告サイトに対応する広告バナーと、が記憶される。広告ＩＤは、広告ＵＲＬ及び広告キーワードを一意に識別するために用いられる。広告キーワードとして、広告ＵＲＬ毎に複数のキーワードが記憶されている。広告キーワードは、主に文中で主語や目的語などとして働くモノを表す名詞により構成される単語である。広告バナーは、その広告サイトを案内するための案内文が掲載された細長い見出し画像などにより形成され、ＧＩＦ（Ｇｒａｐｈｉｃｓ  Ｉｎｔｅｒｃｈａｎｇｅ  ｆｏｒｍａｔ）、ＪＰＧ（Ｊｏｉｎｔ  Ｐｈｏｔｏｇｒａｐｈｉｃ  Ｅｘｐｅｒｔｓ  Ｇｒｏｕｐ）、又は、ＰＮＧ（Ｐｏｒｔａｂｌｅ  Ｎｅｔｗｏｒｋ  Ｇｒａｐｈｉｃｓ）などの形式で記憶されている。
【００２９】
広告キーワードは、各広告サイトに関連するキーワードが規定されている。例えば、広告ＩＤ「０００１」の広告キーワードは、車の保険に関する広告キーワードである。すなわち、車の保険を考えている者は、車の保険について表示されているＷｅｂコンテンツを閲覧したり、検索したりする際に広告ＩＤ「０００１」の広告キーワードに合致するＷｅｂページを閲覧する可能性が高いと考えられる。したがって、車の保険を考えている者などがそのようなＷｅｂページを閲覧しようとするときは、Ｗｅｂページの広告領域に車の保険に関する広告サイトなどに誘導するリンク情報を表示する。
【００３０】
［ＳＮＳリンク情報ＤＢ２３］
図４を参照して、ＳＮＳリンク情報ＤＢ２３について説明する。ＳＮＳリンク情報ＤＢ２３は、ＳＮＳ  ＩＤ毎に、ＳＮＳサイトのリンク情報としてのＳＮＳ  ＵＲＬと、そのＳＮＳサイトに対応するＳＮＳバナーと、が記憶される。ＳＮＳバナーは、そのＳＮＳサイトを案内するための細長い見出し画像などにより形成され、ＧＩＦ、ＪＰＧ、又は、ＰＮＧなどの形式で記憶されている。
【００３１】
ＳＮＳ  ＩＤは、ＳＮＳ  ＵＲＬを一意に識別するために用いられる。ＳＮＳ  ＩＤは、図２の切替判定キーワード・ルールＤＢのＫｅｙＩＤにそれぞれ対応する。すなわち、図２の切替判定キーワード・ルールＤＢ２１の判定キーワード・ルールと、図３のＳＮＳリンク情報ＤＢ２３のＳＮＳ  ＵＲＬとは、ＫｅｙＩＤと、ＳＮＳ  ＩＤとを介して互いに対応付けて記憶している。したがって、例えば、『「自殺」と「硫化水素」が共起』という判定キーワード・ルールに対応するＳＮＳ  ＵＲＬは、自殺防止サイトに関するＳＮＳサイトのＵＲＬが記憶されている。したがって、自殺志願者などが自殺を助長するようなＷｅｂコンテンツを閲覧したり、検索したりする際に、ＫｅｙＩＤの判定キーワード・ルールに合致するＷｅｂページを閲覧しようとする、まさにそのようなタイミングで、通常は広告が表示されている広告領域に、自殺防止を促す自殺防止ＳＮＳサイトなどに誘導するＳＮＳリンクを表示する。
【００３２】
本実施形態のＳＮＳサイト紹介方法を実現するために好適なＳＮＳサイト紹介サーバ１０は、コンピュータ及びその周辺装置に適用される。本実施形態における各手段（各部）は、コンピュータ及びその周辺装置が備えるハードウェア並びに該ハードウェアを制御するソフトウェアによって構成される。
【００３３】
上記ハードウェアには、制御装置（制御部）としてのＣＰＵの他、記憶装置（記憶部）、通信装置（通信部）、表示装置（表示部）及び入力装置（入力部）が含まれる。記憶装置（記憶部）としては、例えば、メモリ（ＲＡＭ、ＲＯＭなど）、ハードディスクドライブ（ＨＤＤ）、及び光ディスク（ＣＤ、ＤＶＤなど）ドライブが挙げられる。通信装置（通信部）としては、例えば、各種有線及び無線インターフェース装置が挙げられる。表示装置（表示部）としては、例えば、液晶ディスプレイ、プラズマディスプレイなどの各種ディスプレイが挙げられる。入力装置（入力部）としては、例えば、キーボード及びポインティング・デバイス（マウス、トラッキングボールなど）が挙げられる。
【００３４】
上記ソフトウェアには、上記ハードウェアを制御するコンピュータ・プログラムやデータが含まれる。コンピュータ・プログラムやデータは、記憶装置（記憶部）により記憶され、制御装置（制御部）により適宜実行、参照される。また、コンピュータ・プログラムやデータは、通信回線を介して配布することも可能であり、ＣＤ−ＲＯＭなどのコンピュータ可読媒体に記録して配布することも可能である。なお、詳細な説明は省略するが、クライアント端末もＳＮＳサイト紹介サーバ１０と同様のハードウェア構成を有している。
【００３５】
ハードディスクドライブは、本ハードウェアをＳＮＳサイト紹介サーバ１０として機能させるための各種プログラム、本発明の機能を実行するプログラム及び前述したテーブル及びレコードを記憶する。ＳＮＳサイト紹介サーバ１０の切替判定キーワード・ルールＤＢ２１、広告ＤＢ２２、及びＳＮＳリンク情報ＤＢ２３は、ハードディスクドライブにより実現される。
【００３６】
［処理フロー］
図５は、本実施形態のＳＮＳサイト紹介方法を実現するための処理の流れを示すフローチャートである。
【００３７】
Ｓ１：ユーザによりＷｅｂページの閲覧が行われると、クライアント端末の制御部は、通信部を介して、ＳＮＳサイト紹介サーバ１０に対し、Ｗｅｂページの閲覧要求を行う。
【００３８】
Ｓ２：クライアント端末によりＷｅｂページの閲覧要求が行われると、ＳＮＳサイト紹介サーバ１０の制御部（ページ要求受付手段１１）は、クライアント端末から閲覧要求を受けたＷｅｂページの要求を受け付ける。
【００３９】
Ｓ３：続いて、ＳＮＳサイト紹介サーバ１０の制御部（ページ内容解析手段１２）は、ページ要求受付手段１１により受け付けたＷｅｂページの内容を解析する。この処理では、クライアント端末により閲覧要求を受け付けたＷｅｂページ内のテキストを形態素解析し、品詞に分類する。
【００４０】
Ｓ４：続いて、ＳＮＳサイト紹介サーバ１０の制御部（ＳＮＳリンク配信切替判定手段１３）は、ページ内容解析手段１２により解析した解析内容が、広告ＤＢ２２に記憶されている広告キーワードを含まない場合でかつ切替判定キーワード・ルールＤＢ２１に記憶されている判定キーワード・ルールに合致した状態で含まれる場合に、所定のＳＮＳリンク情報の配信に切り替えるか否かを判定する。
【００４１】
Ｓ５：ＳＮＳサイト紹介サーバ１０の制御部（広告マッチング手段１４）は、ＳＮＳリンク配信切替判定手段１３により、広告ＤＢ２２に記憶されている広告キーワードを含んでいるか又は切替判定キーワード・ルールＤＢ２１に記憶されている所定のキーワードに対する所定のルールに合致した状態で含まれておらず、所定のＳＮＳリンク情報の配信に切り替えると判定されなかった場合には、広告ＤＢ２２に記憶されている広告キーワードを参照して、所定の広告キーワードが含まれると判定された広告リンク情報、及びその広告に対応する広告バナーと、クライアント端末から閲覧要求を受けたＷｅｂページの広告領域とをマッチングする。
【００４２】
このマッチングは、まず、ページ内容解析手段１２が解析した解析内容に、広告ＤＢ２２に記憶されている何れかの広告キーワードが含まれるか否かを判定する。この判定により、何れかの広告キーワードが含まれると判定した場合には、この広告キーワードに対応する広告ＵＲＬを広告リンク情報として決定する。そして、決定された広告リンク情報、及びその広告に対応する広告バナーと、Ｗｅｂページの広告領域とをマッチングする。
【００４３】
Ｓ６：ＳＮＳサイト紹介サーバ１０の制御部（ＳＮＳリンク情報マッチング手段１５）は、ＳＮＳリンク配信切替判定手段１３により、広告ＤＢ２２に記憶されている広告キーワードを含まない場合でかつ切替判定キーワード・ルールＤＢ２１に記憶されている所定のキーワードに対する所定のルールに合致した状態で含まれており、所定のＳＮＳリンク情報の配信に切り替えると判定された場合には、ステップＳ５の広告マッチング手段１４による処理を停止して、ＳＮＳリンク情報ＤＢ２３に記憶されているリンク情報を参照して、ＳＮＳリンク配信切替判定手段１３により、所定のキーワードに対する所定のルールに合致したＳＮＳサイトへのリンク情報、及びそのＳＮＳサイトに対応するＳＮＳバナーと、クライアント端末から閲覧要求を受けたＷｅｂページの広告領域とをマッチングする。
【００４４】
このマッチングは、ステップＳ４の処理において、複数の判定キーワード・ルールのうち、一の判定キーワード・ルールに合致すると判定された場合に、その判定キーワード・ルールに対応するＫｅｙＩＤに対応するＳＮＳ  ＩＤをＳＮＳリンク情報ＤＢ２３を参照して決定する。次に、このＳＮＳ  ＩＤに対応するＳＮＳ  ＵＲＬをＳＮＳリンク情報として決定する。そして、決定されたＳＮＳリンク情報、及びそのＳＮＳリンク情報に対応するＳＮＳバナーと、Ｗｅｂページの広告領域とをマッチングする。
【００４５】
Ｓ７：次に、ＳＮＳサイト紹介サーバ１０の制御部（ページ合成手段１６）は、ステップＳ５において広告マッチング手段１４によりマッチングしたＷｅｂページ、又は、ステップＳ６においてＳＮＳリンク情報マッチング手段１５によりマッチングしたＷｅｂページの広告領域にマッチしたリンク情報を合成する。
【００４６】
Ｓ８：次に、ＳＮＳサイト紹介サーバ１０の制御部（ページ配信手段１７）は、ＳＮＳサイト紹介サーバ１０の通信部を介して、ステップＳ７におけるページ合成手段１６により合成したＷｅｂページをクライアント端末に配信する。
【００４７】
Ｓ９：クライアント端末の制御部は、ＳＮＳサイト紹介サーバ１０から配信されたＷｅｂページを、クライアント端末の通信部を介して受信し、受信したＷｅｂページを表示部において表示する。
【００４８】
［クライアント端末における表示例］
図６を参照して、Ｗｅｂ閲覧者がクライアント端末を介して、閲覧要求したＷｅｂページをクライアント端末の表示部において表示する表示例について説明する。
【００４９】
図６では、クライアント端末の表示部において、Ｗｅｂブラウザ１００を用いて自殺を助長するコンテンツである自殺方法を綴ったブログページ１０１が表示されている。ブログページ１０１では、ブログページ１０１の上方広告領域１０２、右方広告領域１０３、及び下方広告領域１０４に、所定のＳＮＳサイトへ誘導するためのリンクが張られた、そのＳＮＳサイトに対応したＳＮＳバナーが表示されている。また、右方広告領域１０３内の上方に設けられたＵＲＬ表示領域１０５には、該右方広告領域に表示されているＳＮＳサイトに対応するＳＮＳへのリンクが直接表示されている。
【００５０】
尚、図示していないが、通常、このブログページ１０１では、ブログページ１０１の上方広告領域１０２、右方広告領域１０３、及び下方広告領域１０４に、所定の広告サイトへ誘導するためのリンクが張られた、その広告サイトに対応した広告バナーが表示されている。
【００５１】
ここで、自殺志願者であるＷｅｂ閲覧者が、クライアント端末を介して図６に示すような「練炭」と「自殺」とが共起の関係にあるキーワードの組合せを含むＷｅｂページの閲覧要求を行う。クライアント端末から閲覧要求があった場合には、ＳＮＳサイト紹介サーバ１０は、切替判定キーワード・ルールＤＢ２１を参照して、このＷｅｂページが形態素解析し、品詞に分類された結果、「練炭」と「自殺」とが共起の関係にある判定キーワード・ルールと合致したか否かを判定する。その結果、判定キーワード・ルールに合致すると判定した場合には、図６に示すように、通常、広告サイトへの広告バナーが表示されている、上方広告領域１０２、右方広告領域１０３、及び下方広告領域１０４に、合致したと判定されたキーワード・ルールに対応するＳＮＳサイトへ誘導するためのリングが張られた、そのＳＮＳサイトに対応したＳＮＳバナーに切り替えられる。
【００５２】
このように、通常時には、広告が表示されているだけの所定の広告領域に、所定のキーワード・ルールに合致した状態で含まれると判定されることにより、そのキーワード・ルールに関連するＳＮＳリンク情報がクライアント端末の表示部において表示される。したがって、自殺志願者や犯罪者予備軍が頻繁に用いるキーワード・ルールやを用いてＷｅｂの閲覧を行った場合には、Ｗｅｂ閲覧者を自殺防止や犯罪防止のためのＳＮＳなどの相談サイトに誘導することができる。また、通常時には単に広告領域に広告を表示するという既存の広告配信サーバと併存するＳＮＳサイト紹介サーバを用いて、自殺抑止などのための所定のＳＮＳサイトへのリンク情報を表示することができる。したがって、所定のＳＮＳ情報を表示するために新たにＷｅｂサーバシステムなどを構築する必要がなく、コストを抑制することができる。
【００５３】
以上、本発明の実施の形態について説明したが、本発明は本実施形態に限定されるものではなく、本発明の目的を達成できる範囲での変形、改良などは本発明に含まれるものである。
【００５４】
例えば、ＳＮＳリンク情報ＤＢ２３には、ＳＮＳサイトへのリンク情報を示すＳＮＳ  ＵＲＬ、及びＳＮＳバナーが記憶されているがこれに限られない。例えば、ＳＮＳリンク情報は、該ＳＮＳサイトを案内するためのテキストにより形成された案内文であってもよい。
【００５５】
また、自殺や犯罪などを助長するコンテンツであるＷｅｂページの閲覧要求があった場合に、そのＷｅｂページに含まれるキーワード・ルールが、複数のＳＮＳサイトに対応するキーワード・ルールに合致すると判定された場合には、合致すると判定された複数のＳＮＳサイトへのＳＮＳリンク情報を閲覧要求があったＷｅｂページとマッチングし、マッチングしたページを合成し、該Ｗｅｂページをクライアント端末に配信してもよい。
【００５６】
また、切替判定キーワード・ルールＤＢ２１、広告ＤＢ２２、及びＳＮＳリンク情報ＤＢ２３は、ＳＮＳサイト紹介サーバ１０に含まれるように構成されているがこの限りではない。例えば、それぞれのＤＢを含んだ別サーバとして、切替判定キーワード・ルールＤＢサーバ、広告ＤＢサーバ、及びＳＮＳリンク情報ＤＢサーバとして、ＳＮＳサイト紹介サーバ１０から独立して構成してもよい。
【符号の説明】
【００５７】
１０  ＳＮＳサイト紹介サーバ
１１  ページ要求受付手段
１２  ページ内容解析手段
１３  ＳＮＳリンク配信切替判定手段
１４  広告マッチング手段
１５  ＳＮＳリンク情報マッチング手段
１６  ページ合成手段
１７  ページ配信手段
２１  切替判定キーワード・ルールＤＢ
２２  広告ＤＢ
２３  ＳＮＳリンク情報ＤＢ
【図１】
2011028599.tif 000003
【図２】
2011028599.tif 000004
【図３】
2011028599.tif 000005
【図４】
2011028599.tif 000006
【図５】
2011028599.tif 000007
【図６】
2011028599.tif 000008